(57)【特許請求の範囲】
【請求項１】
上壁部、底壁部、対向する側壁部、および背壁部より成る筐状本体の内部にリールブロックが組み込まれ、前記筺状本体の前面開口部に、前面を遊技操作面とする扉部を開閉可能に取り付けて機体が構成され、前記機体の内部には、効果音を発生させる第１、第２のスピーカーが組み込まれるとともに、第１のスピーカーは前記扉部の前面から効果音を放出するように扉部の内面に取り付けられて成るスロットマシンにおいて、
前記第２のスピーカーは、前記リールブロックの側方であって筐状本体の一方の側壁部の内面に取り付けられる音響ボックスの内部に設けられており、前記音響ボックスは、第２のスピーカーが取り付けられかつ第２のスピーカーの前面音を放出するための取付孔と、第２のスピーカーの背面音を外部へ放出するための放出口とを備え、前記取付孔を対向する他方の側壁部に向け、かつ前記放出口を筐状本体の背壁部または側壁部に開設された開口部と連通させるようにして前記側壁部の内面に取り付けられて成るスロットマシン。
【請求項２】
前記音響ボックスの内部に、前記放出口に連通する迂回通路が形成されている請求項１に記載のスロットマシン。
【発明の詳細な説明】
【０００１】
【産業上の利用分野】
この発明は、機体の前面側に効果音を発するスピーカーが設けられたスロットマシンに関する。
【０００２】
【従来の技術】
典型的なスロットマシンは、外周面に複数のシンボルが表された複数個のリールを有し、遊技者によるゲーム開始操作があると、全てのリールが一斉に始動する。回転する各リールは、停止釦スイッチの操作で順次停止し、入賞ライン上に停止した各リールのシンボルが所定の組み合わせのとき、入賞や特別入賞が成立する。入賞や特別入賞の成立により、メダルの配当が行われ、特別入賞であれば、多数のメダルが獲得できるボーナスゲームへと移行する。
上記のゲーム過程において、リールの始動時、入賞や特別入賞の成立時、メダルの配当時など、適時、効果音が発せられ、これにより、遊技者のゲームに対する興奮を高め、ゲームのおもしろさを増すようにしている。
【０００３】
従来のスロットマシンの機体は、中空の筺状本体の前面開口部に、前面を遊技操作面とする扉部が開閉可能に取り付けられて成る。扉部の内面には、効果音を発するためのスピーカーが取り付けてある。扉部にはスピーカーの取付孔が設けてあり、スピーカーの前面より放射された音（以下、「前面音」という。）が効果音として前記取付孔より外部へ放出される。スピーカーの後面より放射された音（以下、「背面音」という。）は、扉部がバッフル板（仕切板）として機能するので、前面音が背面音によりうち消されることはない。
ところが、前記扉部の内面には、多数の部品が装着されるため、スピーカーを取り付けるための十分なスペースがなく、大口径のスピーカーが使用できない。そのため、効果音の音量が不足し、特に、効果音の低音部が十分に生かされないという問題がある。
【０００４】
音量を増しかつ低音部を補うため、扉部に設けられたスピーカー（以下、「第１のスピーカー」という。）の他に、筺状本体の背壁部に第２のスピーカーを取り付けたものも提案されている。この第２のスピーカーの前面音は、背壁部に設けられた取付孔より外部へ放出される。第２のスピーカーの背面音は、筺状本体の中空内部を経て扉部と筺状本体との隙間より外部へ放出される。第１のスピーカーにより主として効果音の高音部が、第２のスピーカーにより主として効果音の低音部が、それぞれ生かされ、音量の増大と音質の向上とが実現される。
【０００５】
【発明が解決しようとする課題】
ところが、第２のスピーカーを筺状本体の背壁部に直付けした場合、第２のスピーカーを一旦取り付けた後は、第２のスピーカーの音響チューニングを行うのが困難である。このため、筺状本体の内部構造に設計変更があると、その都度、音響チューニングをやり直した新たなスピーカーを用意して取り替える必要があり、余分なコストと余計な手数とがかかるという問題がある。
【０００６】
この発明は、上記問題に着目してなされたもので、第２のスピーカーが設けられた音響ボックスを筺状本体の内部に取り付けることにより、取付後も、必要に応じて第２のスピーカーの音響チューニングが容易に行えるスロットマシンを提供することを目的とする。
【０００７】
【課題を解決するための手段】
この発明によるスロットマシンは、上壁部、底壁部、対向する側壁部、および背壁部より成る筐状本体の内部にリールブロックが組み込まれ、前記筺状本体の前面開口部に、前面を遊技操作面とする扉部を開閉可能に取り付けて機体が構成され、前記機体の内部には、効果音を発生させる第１、第２のスピーカーが組み込まれるとともに、第１のスピーカーは前記扉部の前面から効果音を放出するように扉部の内面に取り付けられて成るものであり、前記第２のスピーカーは、前記リールブロックの側方であって筐状本体の一方の側壁部の内面に取り付けられる音響ボックスの内部に設けられている。前記音響ボックスは、第２のスピーカーが取り付けられかつ第２のスピーカーの前面音を放出するための取付孔と、第２のスピーカーの背面音を外部へ放出するための放出口とを備えており、前記取付孔を対向する他方の側壁部に向け、かつ前記放出口を筐状本体の背壁部または側壁部に開設された開口部と連通させるようにして前記側壁部の内面に取り付けられている。
【０００８】
請求項２の発明では、前記音響ボックスの内部に、前記放出口に連通する迂回通路が形成されている。
【００１０】
【作用】
第１のスピーカーにより主として効果音の高音部が生かされ、第２のスピーカーにより主として効果音の低音部が生かされ、それぞれ筺状本体の外部へ放出される。第２のスピーカーより発せられた前面音は、筺状本体がキャビティとして機能するので、低音部が効果的に再生される。
第２のスピーカーにより発せられた背面音は音響ボックスの放出口および筺状本体の開口部から外部へ放出されるので、低音部が生かされ、音量が増す。
【００１１】
請求項２のスロットマシンでは、第２のスピーカーにより発せられた背面音が音響ボックスの内部に設けられた迂回通路を迂回して放出口へ導かれるので、効果音の低音部が一層生かされる。
【００１３】
【実施例】
図１および図２は、この発明の一実施例であるスロットマシンの外観を示す。このスロットマシン１は、中空の筺状本体２の前面開口部に、前面を遊技操作面とする扉部３を開閉可能に取り付けて機体１が構成される。筺状本体２の中空内部には、図３に示すように、上段位置にリールブロック４、回路基板５、および音響ボックス４０が、下段位置に多数枚のメダルを収容するホッパー６ａを有するメダル放出機６が、それぞれ組み込まれる。なお、図３の２４は、リールブロック４や音響ボックス４０を支持する支え板である。
【００１４】
前記リールブロック４は、金属フレーム７に３個のリール８ａ，８ｂ，８ｃが一体に組み付けられて成る。各リール８ａ，８ｂ，８ｃは、リール本体の外周部に帯状シートが貼設されたものである。帯状シートには、図柄、文字、数字などの所定個数のシンボルより成るシンボル列が印刷されている。シンボル列の幾つかのシンボルは、入賞や特別入賞を成立させるための入賞シンボルや特別入賞シンボルを構成する。
【００１５】
リールブロック４には、各リール８ａ，８ｂ，８ｃを個別に回転駆動するステッピングモータ９ａ，９ｂ，９ｃが組み付けてある。なお、シンボルを表示する手段は、リール８ａ，８ｂ，８ｃに限らず、ベルトであってもよく、また液晶のような画像表示手段であってもよい。
【００１６】
前記扉部３の前面は、図１に示すように、各リール８ａ，８ｂ，８ｃのシンボルを表示するためのシンボル表示窓２０ａ，２０ｂ，２０ｃを有する正面パネル１１と、機種名やゲーム情報を表示するための上部パネル１２および下部パネル１３とで構成されている。
正面パネル１１の下方には、始動レバー１４，３個の停止釦スイッチ１５ａ，１５ｂ，１５ｃ、３種類のベット釦スイッチ３３，３４，３５、およびメダル投入口１６が、また下部パネル１３の下方には、メダル放出口１７やメダル受け皿１８が、それぞれ配備される。メダル投入口１６にはゲーム実行のためのメダルや貯留のためのメダルが投入される。始動レバー１４は３個のリール８ａ，８ｂ，８ｃを一斉に始動させるのに操作される。３個の停止釦スイッチ１５ａ，１５ｂ，１５ｃは対応するリール８ａ，８ｂ，８ｃを個別に停止させるのに操作される。３種類のベット釦スイッチ３３，３４，３５は１ゲームに対する貯留メダルの使用枚数（１枚〜３枚）を選択するのに操作される。
【００１７】
正面パネル１１の板面中央には、無着色で透明のシンボル表示窓２０ａ，２０ｂ，２０ｃが３個、横一列に並設してある。各シンボル表示窓２０ａ，２０ｂ，２０ｃの背後位置には、前記リールブロック４の各リール８ａ，８ｂ，８ｃが、外周面をシンボル表示窓２０ａ，２０ｂ，２０ｃに向けて配置される。リール停止時には、各シンボル表示窓２０ａ，２０ｂ，２０ｃよりリール毎に３駒分のシンボルが視認可能である。
【００１８】
正面パネル１１の表面には、３本の水平な入賞ラインＬ１〜Ｌ３と２本の斜めの入賞ラインＬ４，Ｌ５とが表されている。リール停止時、これら５本の入賞ラインＬ１〜Ｌ５上に各リール８ａ，８ｂ，８ｃのシンボルが整列する。
メダル投入口１６への１枚のメダルの投入または第１のベット釦スイッチ３３の操作により、中央の水平な入賞ラインＬ１が有効化される。２枚のメダルの投入または第２のベット釦スイッチ３４の操作により、３本の水平な入賞ラインＬ１〜Ｌ３が有効化される。３枚のメダルの投入または第３のベット釦スイッチ３５の操作により、５本全ての入賞ラインＬ１〜Ｌ５が有効化される。
【００１９】
なお、図１において、３２は機械に貯留されたメダルの枚数をデジタル表示する貯留枚数表示器、３６は貯留メダルの精算を指示するための精算スイッチ、３７はゲーム毎に１〜３枚のメダルを投入してゲームを行うゲーム方式と、ベット釦スイッチ３３，３４，３５の操作で貯留したメダルを使用してゲームを行うゲーム方式とを選択するための切換スイッチである。
【００２０】
上記した機体１の内部には、図３および図４に示すように、ゲーム時に効果音を発生させるための第１，第２のスピーカー４１，４２が組み込まれている。
第１のスピーカー４１は、主として高音部を生かした効果音を発生させるためのものであり、扉部３の内面に直付けされている。扉部３のメダル受け皿１８の上方位置には、第１のスピーカー４１の前面から放射された前面音を外部へ放出するための取付孔４３が設けてある。
【００２１】
第２のスピーカー４２は、筺状本体２に取り付けられた音響ボックス４０の内部に設けられている。前記筺状本体２は、上壁部２ａ、底壁部２ｂ、対向する側壁部２ｃ，２ｄ、および背壁部２ｅより成り、一方の側壁部２ｄの内面に前記音響ボックス４０が取り付けてある。支え板２４より上方の側壁部２ｃ，２ｄ間には、中央位置にリールブロック４が設置されるが、その両側には音響ボックス４０を配置するのに十分な空間が存在する。
【００２２】
前記音響ボックス４０は、「エンクロージャー」と呼ばれるもので、木材や合板により形成され、上板部４０ａ、底板部４０ｂ、側板部４０ｃ，４０ｄ、前板部４０ｅ、および背板部４０ｆより成る。この音響ボックス４０の一方の側板部４０ｃの内面には、第２のスピーカー４２が上部位置に取り付けられる。第２のスピーカー４２は、前面より放出された前面音が筺状本体２の対向する側壁部２ｃに向けて放出されるように、側板部４０ｃに開設された取付孔４４に取り付けられる。
【００２３】
背板部４０ｆの下部位置には、第２のスピーカー４２の後面より放射された背面音を外部へ放出するための放出口４５が開設される。筺状本体２の背壁部２ｅには前記音響ボックス４０の放出口４５に連通する開口部４６が設けられる。
この実施例では、第２のスピーカー４２の背面音を筺状本体２の背壁部２ｅより外部へ放出しているが、側壁部２ｄより外部へ放出するように構成することもできる。
【００２４】
前記音響ボックス４０の内部には、第２のスピーカー４２の背面音を迂回させて前記放出口４５へ導くための、「ラビンス」と呼ばれる迂回通路４８が通路板４７により形成されている。この実施例の迂回通路４８は、比較的単純な形態であるが、複雑な形態に形成してもよい。
【００２５】
なお、上記実施例では、第２のスピーカー４２が組み込まれた音響ボックス４０を１個だけ設けてあるが、左右対称位置にそれぞれ１個ずつ設けることも可能である。また、この実施例では、筺状本体２の内部の上段位置に音響ボックス４０を設置してあるが、下段位置に設置しても差し支えない。
【００２６】
上記構成のスロットマシンにおいて、ゲーム時に、第１，第２の各スピーカー４１，４２に効果音の信号が与えられると、第１，第２の各スピーカー４１，４２が作動して効果音を発生させる。この場合、第１のスピーカー４１より発せられる効果音は主として高音部が生かされ、第２のスピーカー４２より発せられる効果音は主として低音部が生かされる。
【００２７】
第２のスピーカー４２の前面から放射される前面音は、筺状本体２がキャビティとして機能し、また、筺状本体２の内部に装填されるリールブロック４などの部材はラビンスとして機能するので、低音部が効果的に再生される。この前面音は、筺状本体２と扉部３との隙間より外部へ放出される。第２のスピーカー４２の背面から放射される背面音は、音響ボックス４０の内部へ放出されるので、前記前面音が背面音によりうち消されることはない。
【００２８】
第２のスピーカー４２の背面音は、音響ボックス４０内の迂回通路４８を経て放出口４５および筺体本体２の開口部４６から外部へ放出されるので、第２のスピーカー４２の前面音が背面音によりうち消されることがなく、また、低音部が生かされ、音量も増す。
【００２９】
【発明の効果】
この発明は上記の如く、機体を構成する筺状本体の一方の側壁部の内面に音響ボックスを取り付け、この音響ボックスに、効果音を発する第２のスピーカーを設けたので、効果音の低音部が効果的に再生される。また、第２のスピーカーを一旦取り付けた後でも、音響ボックスを取り外し、音響ボックスの放出口の形状や構造を変更したり、迂回通路の形態を変更することにより、音響チューニングが可能である。このため、筺状本体の内部構造に設計変更があっても、その都度、音響チューニングをやり直した新たなスピーカーを用意して取り替える必要はなく、余分なコストや手数がかからない。
また、音響ボックスに背面音の放出口を設け、筺状本体には、前記放出口と連通する開口部を形成したから、第２のスピーカーより発せられる効果音の低音部が生かされ、かつ音量も増す。
【００３０】
請求項２の発明によれば、音響ボックスの内部に、前記放出口に連通する迂回通路を形成したから、効果音の低音部が一層生かされる。
【図面の簡単な説明】
【図１】この発明の一実施例であるスロットマシンの外観を示す正面側より見た斜視図である。
【図２】この発明の一実施例であるスロットマシンの外観を示す背面側より見た斜視図である。
【図３】筐状本体の内部構造と音響ボックスの内部構造を示す正面図である。
【図４】音響ボックスの内部構造を示すスロットマシンの一部を破断した側面図である。
【符号の説明】
２    筺状本体
２ｃ，２ｄ  側壁部
３    扉部
４０  音響ボックス
４１  第１のスピーカー
４２  第２のスピーカー
４５  放出口
４６  開口部
４８  迂回通路
【図１】
0003777058.tif 000002
【図２】
0003777058.tif 000003
【図３】
0003777058.tif 000004
【図４】
0003777058.tif 000005